(57)【要約】      （修正有）【課題】支払い時スムースに小銭を手のひらにササッと取り出せ、財布を落としても鈴の音で気づき、鍵の持ち忘れも無く、クリアシートを通しての通勤定期券の利用でササッと通過出来、取り外し金具にそれぞれの金具を付けて落下及び盗難防止が出来るようにした“ササッと財布”を提供する。【解決手段】財布横からファスナーを開けると小銭が飛び出し手のひらに載るよう、財布のファスナーのあけ口を折り返し、ファスナー端の部分はカーブで付ける。この空きの部分に鈴や鍵を付ける金具を付けることが出来又端に小銭が留まることが防げる。カード入れを別に設け、クリアケースを付けた事でそのまま通勤定期券を利用出来、取り外し金具の利用で落下及び盗難防止が出来る。【選択図】図２
2019126688.tif 000002
【特許請求の範囲】
【請求項１】
財布の横にファスナー（１）を折り返して付け、ここを開けることで小銭をササッと取り出せる財布。
【請求項２】
金具（２）を付ける事で鈴や鍵が付けられ、鈴の音で落下を防止、鍵を持ち忘れることもなくササッと出かけられる財布。
【請求項３】
透明シート（６）の利用で通勤定期券を別に持つたり、財布のカードケースから取り出す事もなくササッと通過出来る財布。
【発明の詳細な説明】
【技術分野】
【０００１】  本発明はファスナーを開けると横から小銭を取り出せ、鍵や鈴を付ける設定で持ち忘れや落下防止が出来、財布の透明シートを通して通勤定期券を使用出来、穴に取り外しの金具を付ければベルトや鞄用の金具で落下や盗難防止になり、またカード入れや紙幣入れ・メモ入れも設定した財布に関するものである。
【背景技術】
【０００２】  従来の財布には、小銭は横から取り出せる事は無く、鍵等付ける箇所も落下盗難防止対策も無く、通勤定期券は別に持つしか無く、カード入れ・紙幣入れを合体しただけの財布が多かった。
【発明の概要】
【発明が解決しようとする課題】
【０００３】  従来の財布は次のような欠点があった。
（イ）財布から小銭を出す時、ひっくり返して小銭を出すか、手を突っ込んで出すか、なのでさっと取り出す事が出来ない。
（ロ）財布とは別に鍵や通勤定期券を持っていかなければならないし、財布を落としても気づかないことがある。
（ハ）落下や盗難防止対策が無い。
本発明は、以上の問題点を解決するために発明されたものである。
【課題を解決するための手段】
【０００４】  財布左下のファスナーを折り返しにつけ、横から小銭を取り出す。右側下はカーブに添ってファスナーを付け、此処に折り返しの金具をネジで止め、リングを挿して鈴や鍵を付ける。鍵は布等を使って財布内側にしまって置く。紙幣入れの表革に透明シートを使って通勤定期券入れを作る。落下や盗難防止に穴を開け、此処に取り外し可能の金具を挿して紐やベルトや鞄用の金具を付ける。
以上の構成よりなるササッと財布。
【発明の効果】
【０００５】  本発明を使用することによって、買い物の支払い時、手のひらに小銭をササッと取り出せるのでとりわけやすい。金具に鈴を付ければ、鈴の音で落下に気づく他、鍵を付ければ、持ち忘れ防止にもなる。透明シートを通して通勤定期券が入っているのでそのままササッと通過出来、金具に紐を使った場合は首にかけてポケットに入れる他、ベルトや鞄用の金具を使うことで落下や盗難防止が出来る。
【図面の簡単な説明】
【０００６】
【図１】
2019126688.tif 000003
【図２】
2019126688.tif 000004
【図３】
2019126688.tif 000005
【図３】
2019126688.tif 000006
【図４】
2019126688.tif 000007
【発明を実施するための形態】
【０００７】  以下、本発明の実施の形態を説明する。
（イ）紙幣用・小銭入れ用の革と裏布をそれぞれ裁断し、それぞれの革に裏布を当て、周りをミシンで一部開けて縫い、表に返して端ミシンをかける。
（ロ）カード入れの部分革と布を切って透明シート（５）を間に差し込み、ジグザグミシンを掛ける。
（ハ）この部分より少し大きめに布を縫い、透明シートの部分に纏り、上の部分それぞれにスナップボタンを付ける。
（ニ）小銭入れ、紙幣入れの取手を作り、端ミシンをかける。
（ホ）小銭入れ革側にファスナー（１）を外して１本にし、ファスナーを閉め革の半分に折った部分に当ててからファスナーを開け、小銭入れ・紙幣入れの取手を所定の場所に固定し印どおりにミシンで縫う。
（ヘ）カード入れ革の方にメモ等入れる透明シート（５）をミシンで縫う。
（ト）革同士中心を合わせ、ミシンで縫い合わせる。
（チ）小銭入れ・紙幣入れの取手にボタン（６）を付け、革の方にも付ける。
（リ）紙幣入れの長さを測って上を２ｃｍほど下げ、下はカーブに合わせた布２枚とこの布より高さ２ｃｍ下の布を同じように裁ち、この布３枚を合わせて縫い、表に反して紙幣入れの革に纏る。
（ヌ）右側小銭入れカーブ下の部分に２か所穴を開け、金具（２）を挿し込み、ネジ（３）で止め、リング（４）をはめる。
（ル）カード入れを開いた長さ２倍に上を２ｃｍほど下げた布に、メモ入れの場所を確認して布を切り、ここに柔らかい透明シートを縫いつけ、カード入れの上は端ミシンを掛けて折り返し、ここ以外は裏地を２重に縫い合わせて表に反し、折り返しから１．５ｃｍ横をミシンで縫い（ボールペン芯入れ）、革の中心より少し右側に縫い合わせて周りを纏る。
（オ）スナップボタンをカード入れの下の部分と小銭入れ側に付ける。
（ワ）ファスナー（１）の端をファスナーの折り返しの部分に入るように切り取り、ファスナーが開かない様ファスナーの幅より少し下を糸で止め、縫い目に入るようファスナーを開けて入れ、纏る。
（カ）ファスナーが鍵付け部分近くにそれ以上いかないよう糸で括って止める。
（ヨ）財布上の部分にハトメで穴を開け、取り外せる金具（７）を付ける。
本発明は、以上の構成によりなる。本発明を使用する場合は、横からファスナーを開けて小銭を出す。出した後ファスナーの開け口を上にしないとこぼれることがあるので注意が必要。メモ等はここの透明シートに入れれば小銭と混じることは無い。通勤定期券を財布表の透明シートに入れれば、別に持つ必要も無くカード入れから取り出す事無く通過出来、鍵も財布に付ければ持ち忘れの心配は無く、財布の中にしまう事も出来る。又鈴を付ければ落とした時は気付き、鞄を揺すれば音で気付く事も出来る。上のハトメに取り外しできる金具を付ければ首から掛け胸ポケットにしまう事も出来、ベルト付け金具や鞄用のリール式ケーホルダーをつける事も出来る。紙幣入れの箇所は２つ有り、紙幣以外の物が入れられ、カードケース入れの透明シートの部分にメモ用紙等入れ、横にボールペン芯を入れればメモができる。
【符号の説明】
【０００８】      １  長さ約１００ｃｍのコイルチェーンファスナー
２  額縁釣り金具
３  Ｍ３×８  皿小ネジ
４  二重リング
５  透明ファイル
６  ドットボタン
７  ネックストラップに付いている取り外し金具
【図１】
2019126688.tif 000008
【図２】
2019126688.tif 000009
【手続補正書】
【提出日】平成30年4月23日(2018.4.23)
【手続補正２】
【補正対象書類名】明細書
【補正対象項目名】０００６
【補正方法】変更
【補正の内容】
【０００６】
【図１】本発明の財布のファスナーを折り返して横から取り出せるようにした図
【図２】本発明の財布に鍵付き、通勤カードケース、取りつけ金具を付けた図
【手続補正３】
【補正対象書類名】図面
【補正対象項目名】全図
【補正方法】変更
【補正の内容】
【図１】
2019126688.tif 000010
【図２】
2019126688.tif 000011